(57)【要約】      （修正有）【課題】鍵を用いた扉の開放操作と鍵を用いた有利度の設定操作に対して改良を施した遊技機を提供する。【解決手段】前面扉１ｂに設けられたキー穴２０２に扉キーを挿入し、挿入した扉キーを縦向きとなる基準位置から第１位置まで第１方向（正面視右方向）に第１角度（例えば、約４５度）回転させる第１操作を行うことにより、前面扉１ｂを開放させることが可能であり、前面扉１ｂを開放した状態において挿入可能なキー穴に設定キーを挿入し、挿入した設定キーを縦向きとなる基準位置から第１方向に第２角度（例えば、約９０度）回転させる第２操作を行うことで、設定変更状態に移行させることが可能であり、第１角度（例えば、約４５度）よりも第２角度（例えば、約９０度）の方が大きい。【選択図】図１
2019201857.tif 000002
【特許請求の範囲】
【請求項１】
遊技が可能な遊技機であって、
枠体と、
前記枠体に対して開閉可能な扉体と、
遊技者にとっての有利度が異なる複数種類の設定値のうちから、いずれかの設定値を選択して設定することが可能な設定状態に制御する設定状態制御手段と、
を備え、
前記扉体に設けられた第１鍵穴に第１鍵を挿入し、挿入した前記第１鍵を第１角度回転させる第１操作を行うことで前記扉体を開放させることが可能であり、
前記扉体を開放した状態において挿入可能な第２鍵穴に第２鍵を挿入し、挿入した前記第２鍵を第２角度回転させる第２操作を行うことで設定状態に移行させることが可能であり、
前記第１角度よりも前記第２角度の方が大きい、遊技機。
【発明の詳細な説明】
【技術分野】
【０００１】
本発明は、遊技を行うことが可能な遊技機に関する。
【背景技術】
【０００２】
この種の遊技機としては、遊技機本体に対して開放可能な扉をドアキーにより開放し、遊技機本体内に設けられた鍵穴に設定キーを挿入して操作することで遊技者にとっての有利度を設定可能な設定変更処理を実行させることが可能なものが提案されている（例えば、特許文献１参照）。
【先行技術文献】
【特許文献】
【０００３】
【特許文献１】特開２０１６−９６９１５号公報
【発明の概要】
【発明が解決しようとする課題】
【０００４】
本発明は、鍵を用いた扉の開放操作と鍵を用いた有利度の設定操作に対して改良を施した遊技機を提供することを目的とする。
【課題を解決するための手段】
【０００５】
手段１の遊技機は、
遊技が可能な遊技機（例えば、スロットマシン１）であって、
枠体（例えば、筐体１ａ）と、
前記枠体に対して開閉可能な扉体（例えば、前面扉１ｂ）と、
遊技者にとっての有利度が異なる複数種類の設定値のうちから、いずれかの設定値を選択して設定することが可能な設定状態（例えば、設定変更状態）に制御する設定状態制御手段（例えば、遊技制御部４１）と、
を備え、
前記扉体に設けられた第１鍵穴に第１鍵を挿入し、挿入した前記第１鍵を第１角度回転させる第１操作を行うことで前記扉体を開放させることが可能であり（例えば、キー穴２０２に挿入した扉キー２０１を、扉キー２０１が縦向きとなる基準位置から第１位置まで第１方向（正面視右方向）に第１角度（例えば、約４５度）回転させる第１操作（右回転操作）を行うことにより、係止部２０６Ａ，２０６Ｂの被係止部２０７Ａ，２０７Ｂに対する係止状態が解除（解錠）され、前面扉１ｂが開放可能な状態となる。）、
前記扉体を開放した状態において挿入可能な第２鍵穴に第２鍵を挿入し、挿入した前記第２鍵を第２角度回転させる第２操作を行うことで設定状態に移行させることが可能であり（例えば、キー穴３０２に挿入した設定キー３０１を、設定キー３０１が縦向きとなる基準位置から設定可能位置まで第１方向（正面視右方向）に第２角度（例えば、約９０度）回転させる回転操作（右回転操作）を行うことで、設定変更状態に移行させることが可能となる。）、
前記第１角度（例えば、約４５度）よりも前記第２角度（例えば、約９０度）の方が大きい
ことを特徴としている。
この特徴によれば、比較的操作される頻度の高い扉体を開放させるための第１操作は、第１鍵を小さい角度の回転で行うことが可能であり、作業者の利便性を高めることができる一方で、遊技者の有利度に直接影響する設定状態へ移行させるための第２操作は、第２鍵を大きい角度の回転で行う必要があり、不正な操作によって設定状態に移行させることを困難とすることができる。
尚、手段１において枠体とは、底が塞がれないフレームのみの構造でも良いし、有底の箱状の構造でも良い。また、枠体は、内部に遊技機を構成する部品が設置されるものでも良いし、内部に部品が設置されず、単に遊技島等の設備に取り付けるためたけのものでも良い。
【０００６】
手段２の遊技機は、手段１に記載の遊技機であって、
前記第１鍵による第１操作がされている状態においては、前記第１鍵が前記第１鍵穴から抜けない状態となり、前記第１鍵を前記扉体を開放する把手として利用可能となる（例えば、キー穴２０２に挿入した扉キー２０１を、第１位置まで回転させる第１操作を行うことで、扉キー２０１をキー穴２０２から抜けない状態となるので、シリンダ錠２０３の前方に突出した扉キー２０１の頭部２３１を、前面扉１ｂを開放する把手として利用可能となる。）
ことを特徴としている。
この特徴によれば、専用の把手を設けることなく、容易に扉体を開放することが可能となる。
【０００７】
手段３の遊技機は、手段２に記載の遊技機であって、
前記第１角度は鋭角（例えば、約４５度）である
ことを特徴としている。
この特徴によれば、扉体を開放させるにあたり、大きく手首をひねることなく手前に引くことで扉体を開放させることができる。
【０００８】
手段４の遊技機は、手段１〜３のいずれかに記載の遊技機であって、
前記設定状態制御手段は、前記第２操作が行われた状態で電源が投入されることで前記設定状態に制御する（例えば、設定キー３０１による回転操作を行うことで設定変更状態に移行させることが可能となり、この回転操作が行われた状態で電源スイッチ３９が操作されて電源が投入されることで、遊技制御部４１は設定変更状態に移行させる。）
ことを特徴としている。
この特徴によれば、電源投入時に、第２鍵が大きく回転している状況か否かによって設定状態に制御されるか否かを特定することができる。
【０００９】
手段５の遊技機は、手段１〜４のいずれかに記載の遊技機であって、
前記設定状態においては、前記第２鍵が前記第２角度回転させた状態が維持される（例えば、設定キースイッチ３７の内筒３２２は、回転基準位置及び回転基準位置から第１方向（正面視右方向）に第２角度（例えば、約９０度）回転させた回転位置においてその状態が維持される。）
ことを特徴としている。
この特徴によれば、第２鍵の角度から設定状態に制御されているか否かを特定することができる。
【００１０】
手段６の遊技機は、手段５に記載の遊技機であって、
前記第２角度は９０度である
ことを特徴としている。
この特徴によれば、第２鍵の角度が直角に変化した状態であるか否かによって設定状態に制御されているか否かを容易に特定することができる。
【００１１】
手段７の遊技機は、手段１〜６のいずれかに記載の遊技機であって、
前記第２鍵穴（例えば、キー穴３０２）を被覆する被覆部（例えば、被覆部３５２）を備え、
前記被覆部を変位させて被覆状態を解除することで前記第２鍵穴に前記第２鍵を挿入して前記第２操作を行うことが可能となり（例えば、被覆部３５２を開放状態とし、キー穴３０２に挿入した設定キー３０１による回転操作が可能となる。）、
前記被覆部を変位させる方向（例えば、電源ボックス３５１の左側辺を中心とする水平回転方向）と、前記第２操作を行うときに前記第２鍵を回転させる方向（例えば、前後方向を向く回転軸を中心とする縦回転方向）と、が異なる。）
ことを特徴としている。
この特徴によれば、被覆部を変位させる方向と、第２操作を行うときに第２鍵を回転させる方向と、が異なるため、被覆部が第２操作の邪魔となりにくい。
【００１２】
尚、本発明は、本発明の請求項に記載された発明特定事項のみを有するものであってもよいし、本発明の請求項に記載された発明特定事項とともに該発明特定事項以外の構成を有するものであってもよい。
【図面の簡単な説明】
【００１３】
【図１】本発明が適用された実施例のスロットマシンの正面図である。
【図２】前面扉を開放した状態の斜視図である。
【図３】スロットマシンの構成を示すブロック図である。
【図４】エラー状態の制御状況を示すタイミングチャートである。
【図５】管理画面の表示状況を示すタイミングチャートである。
【図６】設定変更状態の制御状況を示すタイミングチャートである。
【図７】（Ａ）は施解錠装置を示す右側面図、（Ｂ）は施解錠装置の内部構造を示す右側面図、（Ｃ）は施解錠装置を示す背面図、（Ｄ）は施解錠装置の内部構造を示す背面図である。
【図８】（Ａ）は扉キーがキー穴に挿入されていない状態の施解錠装置の内部構造を示す斜視図、（Ｂ）は施解錠装置の外部を示す斜視図である。
【図９】扉キーがキー穴に挿入された状態の施解錠装置の内部構造を示す右側面図、（Ｂ）は施解錠装置の内部構造を示す斜視図である。
【図１０】前面扉を閉鎖した状態でキー穴に挿入された扉キーを第１操作した状態の施解錠装置の内部構造を示す右側面図、（Ｂ）は施解錠装置の内部構造を示す斜視図である。
【図１１】キー穴に挿入された扉キーを第２操作した状態の施解錠装置の内部構造を示す右側面図、（Ｂ）は施解錠装置の内部構造を示す斜視図である。
【図１２】キー穴に挿入された扉キーを第１操作して前面扉を開放した状態の施解錠装置の内部構造を示す右側面図、（Ｂ）は施解錠装置の内部構造を示す斜視図である。
【図１３】（Ａ）は扉キーをキー穴に挿入する前の状態を示す概略斜視図、（Ｂ）は扉キーをキー穴に挿入した状態を示す概略斜視図、（Ｃ）はキー穴に挿入した扉キーを第１操作した状態を示す概略斜視図、（Ｄ）はキー穴に挿入した扉キーを第２操作した状態を示す概略斜視図である。
【図１４】（Ａ）は電源ボックスの前面を開放して設定キーを設定キースイッチのキー穴に挿入する状態を示す斜視図、（Ｂ）は設定キーを設定キースイッチのキー穴に挿入した状態を示す斜視図、（Ｃ）は設定キースイッチのキー穴に挿入した設定キーを回転させた状態を示す斜視図である。
【図１５】（Ａ）は設定キーを示す平面図、左側面図、右側面図、（Ｂ）は設定キースイッチを示す正面図、（Ｃ）は扉キーを示す平面図、左側面図、右側面図、（Ｄ）はシリンダ錠を示す正面図である。
【図１６】（Ａ）は本発明の変形例としての施解錠装置を解錠した状態を示す斜視図、（Ｂ）は前面扉を開放した状態で内筒の回転基準位置から第２回転位置への回転が規制された状態を示す斜視図である。
【発明を実施するための形態】
【００１４】
本発明に係る遊技機を実施するための形態を実施例に基づいて以下に説明する。
【実施例】
【００１５】
本発明が適用された遊技機としてのスロットマシンの実施例について図面を用いて説明する。本実施例のスロットマシン１は、図１に示すように、前面が開口する筐体１ａと、この筐体１ａの側端に回動自在に枢支された前面扉１ｂと、から構成されている。スロットマシン１の内部には、互いに識別可能な複数種類の図柄が所定の順序で、それぞれ同数ずつ配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が、スロットマシン１の正面の略中央に設けられた透視窓３において各々上中下三段に表示されて遊技者側から見えるように配置されている。
【００１６】
スロットマシン１の正面には、図１に示すように、メダルを投入可能なメダル投入部４、メダルが払い出されるメダル払出口９、クレジットを用いて賭数を設定する際に操作されるＢＥＴスイッチ６、クレジットとして記憶されているメダル及び賭数の設定に用いたメダルを精算する際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒが遊技者により操作可能にそれぞれ設けられている。
【００１７】
スロットマシン１の正面には、図１に示すように、遊技に関する情報が表示される遊技用表示部１３が設けられている。また、スロットマシン１の正面には、画像等を表示可能な液晶表示器５１が、設けられている。
【００１８】
スロットマシン１の内部には、図２に示すように、後述する扉キー２０１によりスロットマシン１の外部からのエラー状態を解除するためのリセット操作を検出するリセットスイッチ２３（図３参照）、前面扉１ｂの開放を検出する扉開放検出スイッチ２５、設定値の変更中や設定値の確認中にその時点の設定値が表示される設定値表示器２４、メダル投入部４から投入されてホッパータンク側に流下したメダルを検出する投入メダルセンサ等が設けられている。
【００１９】
また、スロットマシン１の内部には、遊技制御部４１からの制御信号に応じて前述のリール２Ｌ、２Ｃ、２Ｒを駆動させるためのリールユニット２、遊技制御部４１からの制御信号に応じてメダルをメダル払出口９より払い出すためのホッパーユニット３４、電源基板（図示略）等が収納された電源ボックス３５１が設けられており、電源ボックス３５１の前面３５１Ｆには、設定変更状態または設定確認状態に切り替えるための設定キースイッチ３７、設定変更状態において設定値を変更するための設定スイッチ３８、電源スイッチ３９が設けられている。
【００２０】
図３に示すように、スロットマシン１には、遊技制御基板４０、演出制御基板９０が設けられており、遊技制御基板４０によって遊技の制御が行われ、演出制御基板９０によって遊技状態に応じた演出の制御が行われる。
【００２１】
遊技制御基板４０には、マイクロコンピュータによりなる遊技制御部４１が搭載されており、遊技制御部４１により遊技の制御が行われる。また、遊技制御基板４０には、特に前述のスタートスイッチ７、リセットスイッチ２３、扉開放検出スイッチ２５、設定キースイッチ３７、設定スイッチ３８が接続されており、これら接続されたスイッチ類等の検出信号が遊技制御部４１に入力されるようになっている。また、遊技制御基板４０には、特に前述の設定値表示器２４が接続されており、遊技制御部４１の制御に基づいて駆動されるようになっている。
【００２２】
演出制御基板９０には、演出制御部９１が搭載されており、遊技制御部４１から送信されるコマンドを受けて、演出等を行うための各種の制御を行う。演出制御基板９０には、前述の液晶表示器５１等の演出装置が接続されており、これら演出装置の出力状態は、演出制御部９１により制御される。
【００２３】
本実施例のスロットマシン１は、設定値に応じてメダルの払出率、すなわち遊技者にとっての有利度が変わる構成である。詳しくは、遊技者に対する有利度に影響する抽選において設定値に応じた当選確率を用いることにより、メダルの払出率が変わるようになっている。設定値は１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。
【００２４】
設定値を変更するためには、後述する設定キー３０１を挿入して設定キースイッチ３７をＯＮ状態としてからスロットマシン１の電源をＯＮにする必要がある。図４に示すように、設定キースイッチ３７をＯＮ状態として電源をＯＮにすると、遊技制御部４１は、設定値表示器２４に現在設定されている設定値を表示値として表示し、設定スイッチ３８の操作による設定値の変更が可能な設定変更状態に移行させる。設定変更状態においては、設定スイッチ３８の操作が検出されると、設定値表示器２４に表示された表示値が１ずつ更新されていく（設定値６からさらに操作されたときは、設定値１に戻る）。そして、遊技制御部４１は、スタートスイッチ７の操作が検出されることで表示値を設定値として確定し、この状態で設定キースイッチ３７のＯＦＦが検出されると、確定した表示値（設定値）を新たな設定値として設定し、遊技の進行が可能な状態に移行させる。
【００２５】
また、遊技制御部４１は、図５に示すように、異常を検知したときにエラー状態に制御する。遊技制御部４１は、エラー状態に制御することに伴い、遊技の進行を不能化し、エラーコードを表示する制御を行うとともに、演出制御部９１に対してエラー発生を通知するコマンドを送信する。これに伴い、演出制御部９１は、液晶表示器５１によるエラー画面の表示、エラー報知音の出力等の制御を行う。エラー状態に制御されることとなるエラーは、例えば、内部に貯留されたメダルが規定量を超えたことによるホッパーエラー、内部に貯留されたメダルが不足したことによるホッパーエンプティエラー、投入されたメダル詰まりによるセレクタエラー、本来検知しない状況でメダルの投入やメダルの払出が検知されたことによる投入・払出エラー、リールの回転異常が発生したことによるリールエラーなど、エラーを解消するのに前面扉１ｂを開放することを必要とするエラーを含む。
【００２６】
エラー状態は、扉キー２０１を挿入してリセット操作を行い、当該リセット操作がリセットスイッチ２３により検出されることで解除される。遊技制御部４１は、エラー状態においてリセット操作を検出すると、エラーコードの表示を終了する制御を行い、遊技の進行が可能な状態とし、エラー終了を通知するコマンドを演出制御部９１に対して送信する。これに伴い、演出制御部９１は、液晶表示器５１によるエラー画面の表示、エラー報知音の出力等を終了する制御を行う。
【００２７】
尚、複数種類のエラーのいずれについてもリセット操作によってエラー状態が解除される構成でもよいし、一部の種類のエラーについてのみリセット操作によってエラー状態が解除可能であり、他の種類のエラーについてはリセット操作以外の操作が行われることで解除される構成でもよい。
【００２８】
また、遊技制御部４１は、図６に示すように、遊技が行われていない状態において、扉キー２０１を挿入してリセット操作が所定時間以上継続して行われ、リセットスイッチ２３により所定時間以上継続してリセット操作が検出されると、管理操作を通知するコマンドを演出制御部９１に対して送信する。これに伴い演出制御部９１は、液晶表示器５１による管理画面の表示を行う制御を行う。管理画面には、前面扉１ｂの開放履歴、設定値の変更履歴、エラーの発生履歴等が表示される。この状態で、扉キー２０１を挿入してリセット操作を行い、当該リセット操作がリセットスイッチ２３により検出されると、遊技制御部４１は、リセット操作を通知するコマンドを演出制御部９１に対して送信する。また、この状態でメダルの投入またはＢＥＴスイッチ６の操作により賭数が設定されることで、遊技制御部４１は、賭数が設定された旨を通知するコマンドを演出制御部９１に対して送信する。また、この状態で扉開放検出スイッチ２５により前面扉１ｂの開放が検出されることで、遊技制御部４１は、前面扉１ｂが開放された旨を通知するコマンドを演出制御部９１に対して送信する。そして、演出制御部９１は、管理画面を表示させている状態でリセット操作を通知するコマンドや賭数が設定された旨を通知するコマンド、前面扉１ｂが開放された旨を通知するコマンド等、他のコマンドを受信することで、管理画面の表示を終了する制御を行う。このため、管理画面が表示されている状態で、リセット操作がされたり、前面扉１ｂが開放されたり、賭数が設定されることで管理画面の表示が終了することとなる。
【００２９】
尚、設定キースイッチ３７、設定スイッチ３８は、スロットマシン１の内部に設けられ、扉キー２０１の操作により開放可能な前面扉１ｂを開放しない限り操作不可能とされており、スロットマシン１が設置される遊技店の店員のうち扉キー２０１を所持する店員のみが操作可能となる。特に、設定キースイッチ３７は、さらに設定キー３０１による操作を要することから、遊技店の店員の中でも、設定キー３０１を所持する店員のみが操作可能とされている。また、リセット操作は、前面扉１ｂを開放する必要はないが、扉キー２０１を用いた操作を必要とするため、扉キー２０１を所持する店員のみが操作可能となる。
【００３０】
［施解錠装置２００］
次に、前面扉１ｂに設けられた施解錠装置２００の構造について、図７〜図１３に基づいて説明する。図７は、（Ａ）は施解錠装置を示す右側面図、（Ｂ）は施解錠装置の内部構造を示す右側面図、（Ｃ）は施解錠装置を示す背面図、（Ｄ）は施解錠装置の内部構造を示す背面図である。図８は、（Ａ）は扉キーがキー穴に挿入されていない状態の施解錠装置の内部構造を示す斜視図、（Ｂ）は施解錠装置の外部を示す斜視図である。図９は、扉キーがキー穴に挿入された状態の施解錠装置の内部構造を示す右側面図、（Ｂ）は施解錠装置の内部構造を示す斜視図である。図１０は、前面扉を閉鎖した状態でキー穴に挿入された扉キーを第１操作した状態の施解錠装置の内部構造を示す右側面図、（Ｂ）は施解錠装置の内部構造を示す斜視図である。図１１は、キー穴に挿入された扉キーを第２操作した状態の施解錠装置の内部構造を示す右側面図、（Ｂ）は施解錠装置の内部構造を示す斜視図である。図１２は、キー穴に挿入された扉キーを第１操作して前面扉を開放した状態の施解錠装置の内部構造を示す右側面図、（Ｂ）は施解錠装置の内部構造を示す斜視図である。図１３は、（Ａ）は扉キーをキー穴に挿入する前の状態を示す概略斜視図、（Ｂ）は扉キーをキー穴に挿入した状態を示す概略斜視図、（Ｃ）はキー穴に挿入した扉キーを第１操作した状態を示す概略斜視図、（Ｄ）はキー穴に挿入した扉キーを第２操作した状態を示す概略斜視図である。尚、図７〜図１３は、説明の便宜上、各種電気部品や一部の部材等の図示を省略している。以下において、図１の手前側をスロットマシン１の前方（前面、正面）側、奥側を背面（後方）側とし、スロットマシン１を前面側から見たときの上下左右方向を基準として説明する。尚、本実施例におけるスロットマシン１の前面とは、該スロットマシン１にて遊技を行う遊技者と対向する対向面である。
【００３１】
先ず、図１及び図２に示すように、スロットマシン１には、前面扉１ｂの施解錠を行うための施解錠装置２００が設けられている。施解錠装置２００は、前面扉１ｂを、筐体１ａの前面を開放する開放位置から筐体１ａの前面を閉鎖する閉鎖位置まで回動させることで施錠状態となって前面扉１ｂを開放不能な状態とし、扉キー２０１（図１３参照）を用いて解錠操作を行うことで解錠状態となって前面扉１ｂを開放可能な状態とする。
【００３２】
図７及び図８に示すように、施解錠装置２００は、遊技場が所有する扉キー２０１と、扉キー２０１が挿入可能なキー穴２０２を前面に有するシリンダ錠２０３と、シリンダ錠２０３の背面側に回転可能に設けられたカム２０４と、カム２０４が第１方向（正面視右方向）に回動することにより下方に移動する第１作動部材２０５Ａと、カム２０４が第１方向と反対の第２方向（正面視左方向）に回動することにより下方に移動する第２作動部材２０５Ｂと、第１作動部材２０５Ａの上下端部に回動可能に設けられ、筐体１ａの右側辺の上下位置に設けられた被係止部２０７Ａ，２０７Ｂに係脱可能な係止部２０６Ａ，２０６Ｂと、前面扉１ｂを開放している状態において、カム２０４の第２方向への回動を規制可能な規制部材２０８と、を主に有する。
【００３３】
第１作動部材２０５Ａ、第２作動部材２０５Ｂ、係止部２０６Ａ，２０６Ｂ、シリンダ錠２０３の後部、カム２０４、規制部材２０８の一部及びリセットスイッチ２３は、外部から接触困難となるように、金属材により形成された被覆部材２１０により、前後面、左右側面及び上下面が被覆されている。被覆部材２１０は、第１作動部材２０５Ａ及び係止部２０６Ａ，２０６Ｂと第２作動部材２０５Ｂを主に被覆する第１被覆部２１０Ａと、第１被覆部２１０Ａの左側面に突出するように形成され、シリンダ錠２０３の後部、カム２０４、規制部材２０８の一部及びリセットスイッチ２３を主に被覆する第２被覆部２１０Ｂと、から構成されている。
【００３４】
被覆部材２１０は、前面扉１ｂの背面における右側辺に沿うように固定されている（図２参照）。第１被覆部２１０Ａにおける係止部２０６Ａ，２０６Ｂに対応する位置には、第１被覆部２１０Ａの内部を左右側方及び後方に開放する切欠部２１３Ａ，２１３Ｂが後側から前側に向けて形成されており、前面扉１ｂを閉鎖するときに、筐体１ａの右側辺の上下位置に固設された左右方向を向く柱状の被係止部２０７Ａ，２０７Ｂが切欠部２１３Ａ，２１３Ｂに挿入可能とされている。
【００３５】
第２被覆部２１０Ｂの前面には、シリンダ錠２０３の前部を外部に突出させるための挿通口２１４が形成されており、シリンダ錠２０３を保持している。また、第２被覆部２１０Ｂの背面には、規制部材２０８の後部を外部に突出させるための挿通口２１５が形成されている。
【００３６】
カム２０４は、二股状形成された係止部２０４Ａ，２０４Ｂを有し、シリンダ錠２０３の後述する内筒２２２（回転部）の後部に突設された前後方向を向く回動軸２０４Ｃに固着されており、キー穴２０２に対し扉キー２０１を挿入可能な状態において、係止部２０４Ａ，２０４Ｂが右側方を向く回転基準位置に維持されている。そして、回動軸２０４Ｃを中心として、回転基準位置から第１方向（正面視右方向）または回動軸２０４Ｃから第２方向（正面視左方向）に回動可能とされている。
【００３７】
第１作動部材２０５Ａは、上下方向に伸びる金属板により形成され、被覆部材２１０の内部において、図７に示す基準位置と、該基準位置より下方の下方位置（図１０参照）と、の間で移動可能に被覆部材２１０に支持されている。尚、第１作動部材２０５Ａは、基準位置において図示しない引張バネにより上方に向けて付勢されており、該引張バネの付勢力により下方位置から基準位置へ移動するようになっている。
【００３８】
第１作動部材２０５Ａにおけるカム２０４に対応する位置には、第１作動部材２０５Ａの一部を切り欠くことにより被係止部２１６Ａが形成されており、カム２０４の上方の係止部２０４Ａが係止可能とされている。
【００３９】
第１作動部材２０５Ａにおける被係止部２１６Ａの上方には、被覆部材２１０の内部において該被覆部材２１０に対し前後方向に移動可能に支持された規制部材２０８が設けられている。また、規制部材２０８の上方には、リセットスイッチ２３が被覆部材２１０の所定位置に固設されている。
【００４０】
規制部材２０８は、金属板を折り曲げ形成することにより形成され、後部には、前面扉１ｂが閉鎖されたときに筐体１ａに設けられた当接部２１２に当接する被当接部２０８Ａが設けられ、前部には、前面扉１ｂが開放されたときにカム２０４の係止部２０４Ａの上方に位置して、カム２０４の第２方向への回動を当接により規制する規制部２０８Ｂが設けられている。被当接部２０８Ａは、挿通口２１５を介して第２被覆部２１０Ｂの背面側（外部）に配置されている。
【００４１】
規制部材２０８は、図９（Ｂ）に示すように、規制部２０８Ｂがカム２０４の係止部２０４Ａよりも前方に位置する規制解除位置と、図１２（Ｂ）に示すように、規制部２０８Ｂがカム２０４の係止部２０４Ａの上方に当接可能に位置する規制位置と、の間で前後方向にスライド移動可能に被覆部材２１０に支持されている。
【００４２】
また、規制部材２０８は、図示しない引張バネの付勢力により後方に向けて付勢されており、前面扉１ｂが閉鎖されているときには、被当接部２０８Ａが当接部２１２に当接することで引張バネの付勢力に抗して前方の規制解除位置に維持され、前面扉１ｂが開放されると、図示しない引張バネの付勢力により後方に向けて付勢され、規制解除位置から規制位置まで移動するようになっている。
【００４３】
尚、規制部材２０８及びリセットスイッチ２３は、第１作動部材２０５Ａとは別個に設けられているため、第１作動部材２０５Ａの上下方向への移動に応じて上下方向に移動することはない。
【００４４】
第２作動部材２０５Ｂは、上下方向に伸びる金属板により形成され、被覆部材２１０の内部における第１作動部材２０５Ａの右側において、図７に示す基準位置と、該基準位置より上方の上方位置（図１１参照）と、の間で移動可能に被覆部材２１０に支持されている。尚、第２作動部材２０５Ｂは、基準位置において図示しない引張バネにより下方に向けて付勢されており、該引張バネの付勢力により上方位置から基準位置へ移動するようになっている。
【００４５】
第２作動部材２０５Ｂにおけるカム２０４に対応する位置には、第２作動部材２０５Ｂの一部を切り欠くことにより被係止部２１６Ｂが形成されており、カム２０４の下方の係止部２０４Ｂが係止可能とされている。
【００４６】
また、第２作動部材２０５Ｂの後辺には、基準位置においてリセットスイッチ２３の下方に位置し、上方位置においてリセットスイッチ２３に検出される被検出部２１７が形成されている。
【００４７】
シリンダ錠２０３は、カム２０４を含む後部が第２被覆部２１０Ｂの内部に位置するとともに、前面に設けられたキー穴２０２が前面扉１ｂの前面右側に露呈するように被覆部材２１０に固設されている。
【００４８】
図１３に示すように、シリンダ錠２０３は、被覆部材２１０に固定される外筒２２１（固定部）と、外筒２２１の内部において扉キー２０１の回転とともに回転する内筒２２２（回転部）と、の２重管構造になっている。
【００４９】
図１３に示すように、扉キー２０１は、キー穴２０２に挿入可能な挿入部２３０と、挿入部２３０がキー穴２０２に挿入されたときにシリンダ錠２０３の前面側に突出されて使用者が把手可能となる頭部２３１と、から構成され、左側面（第１面）及び右側面（第２面）を有する板状に形成されている。挿入部２３０の左側面及び右側面には、直線状のキー溝２３１Ｌ，２３１Ｒが長手方向に向けて形成されているとともに、上端面及び下端面には、外筒２２１及び内筒２２２の境界に設けられたドライバピン（図示略）を、外筒２２１に対し内筒２２２が回転可能となる位置まで移動させるためのキー山２３２Ｈ、２３２Ｕが同一の形状パターンにて形成されている（図１５参照）。
【００５０】
図１３（Ａ）に示すように、挿入部２３０は、キー溝２３１Ｌ，２３１Ｒを基準として上下対称形状とされているため、左側面を所定方向（左側）に向けたＸ１状態でも、右側面を所定方向（左側）に向けたＸ２状態でも、キー穴２０２に挿入して回転操作したり、キー穴２０２から抜き出すことができるようになっている。
【００５１】
シリンダ錠２０３は、キー穴２０２が縦方向を向く状態、つまり、内筒２２２と外筒２２１とが特定の位置関係の状態（内筒２２２が回転基準位置に位置している状態）で扉キー２０１の抜き差しが可能となり、内筒２２２と外筒２２１とが特定の位置関係以外の状態（内筒２２２が回転基準位置以外に位置している状態）では扉キー２０１の抜き差しが不能となるように構成されている。
【００５２】
また、内筒２２２と外筒２２１各々の前面には、内筒２２２と外筒２２１とが特定の位置関係の状態であることを特定可能な印２３５，２３６が設けられている。本実施例では、外筒２２１の印２３５と内筒２２２の印２３６とが近接して上下に並んだ状態となったときに、内筒２２２と外筒２２１とが特定の位置関係の状態となる。
【００５３】
そして、内筒２２２は、回転基準位置から第１方向（正面視右方向）に第１角度（例えば、約４５度）回転した第１回転位置と、回転基準位置から第２方向（正面視左方向）に第１角度（例えば、約４５度）回転した第２回転位置と、の間で外筒２２１に対し回動可能とされている。
【００５４】
図１３（Ｂ）に示すように、内筒２２２と外筒２２１とが特定の位置関係の状態、つまり、内筒２２２が回転基準位置に位置している状態であるときにキー穴２０２に挿入した扉キー２０１を、図１３（Ｃ）に示すように、扉キー２０１が縦向きとなる基準位置から第１位置まで第１方向（正面視右方向）に第１角度（例えば、約４５度）回転させる第１操作（右回転操作）が可能であるとともに、図１３（Ｄ）に示すように、基準位置から第２位置まで第２方向（正面視左方向）に第１角度（例えば、約４５度）回転させる第２操作（左回転操作）が可能である。尚、第２操作は、前述のリセット操作に相当する。
【００５５】
よって、内筒２２２と外筒２２１とが特定の位置関係の状態であるときにキー穴２０２に挿入した扉キー２０１を、基準位置から第１位置まで回転させる第１操作を行うことで、内筒２２２が回転基準位置から第１位置に対応する第１回転位置まで、第１方向（正面視右方向）に第１角度（例えば、約４５度）回転し、これに応じて、図１０に示すように、カム２０４が回転基準位置から右方向に回転し、上方の係止部２０４Ａにより被係止部２１６Ａが下方に押圧されて第１作動部材２０５Ａが基準位置から下方位置へ移動することで、係止部２０６Ａ，２０６Ｂの被係止部２０７Ａ，２０７Ｂに対する係止状態が解除（解錠）され、前面扉１ｂが開放可能な状態となる。
【００５６】
一方で、内筒２２２と外筒２２１とが特定の位置関係の状態、つまり、内筒２２２が回転基準位置に位置している状態であるときにキー穴２０２に挿入した扉キー２０１を、基準位置から第２位置まで回転させる第２操作を行うことで、内筒２２２が回転基準位置から第２位置に対応する第２回転位置まで、第２方向（正面視右方向）に第１角度（例えば、約４５度）回転し、これに応じて、図１１に示すように、カム２０４が回転基準位置から左方向に回転し、下方の係止部２０４Ｂにより被係止部２１６Ｂが上方に押圧されて第２作動部材２０５Ｂが基準位置から上方位置へ移動することで、被検出部２１７がリセットスイッチ２３により検出されるようになっている。
【００５７】
また、前面扉１ｂが閉鎖位置に位置している状態において、規制部材２０８は、被当接部２０８Ａが当接部２１２に当接することで引張バネの付勢力に抗して前方の規制解除位置に維持されているが、キー穴２０２に挿入した扉キー２０１を第１位置まで回転させたまま、前面扉１ｂを閉鎖位置から開放位置に向けて回動して開放すると、図１２に示すように、被当接部２０８Ａが当接部２１２から離間することで、引張バネの付勢力により規制解除位置から規制位置まで移動し、第１方向に回転しているカム２０４の上方の係止部２０４Ａの上方に規制部２０８Ｂが位置する。
【００５８】
これにより、第１作動部材２０５Ａを基準位置に向けて付勢する引張バネの付勢力により上昇する力がカム２０４に作用しても、係止部２０４Ｂが規制部２０８Ｂに当接することでカム２０４の左方向への回転が規制されるため、内筒２２２が回転基準位置から右方向に回転した第１回転位置に維持される。よって、前面扉１ｂが開放されているときは、第１位置まで回転させた扉キー２０１を第２方向（左方向）に向けて回転させる第２操作が規制部材２０８により規制される。
【００５９】
また、前面扉１ｂが閉鎖位置に位置している状態において、内筒２２２と外筒２２１とが特定の位置関係の状態であるときにキー穴２０２に挿入した扉キー２０１を、第１位置まで回転させる第１操作を行うことで、内筒２２２と外筒２２１とが特定の位置関係以外の状態（内筒２２２が第１回転位置に位置している状態）となることで、扉キー２０１をキー穴２０２から抜けない状態となるので、シリンダ錠２０３の前方に突出した扉キー２０１の頭部２３１を、前面扉１ｂを開放する把手として利用可能となる。
【００６０】
［設定キー３０１及び設定キースイッチ３７］
次に、前面扉１ｂに設けられた設定キースイッチ３７の構造について、図１４に基づいて説明する。図１４は、（Ａ）は電源ボックスの前面を開放して設定キーを設定キースイッチのキー穴に挿入する状態を示す斜視図、（Ｂ）は設定キーを設定キースイッチのキー穴に挿入した状態を示す斜視図、（Ｃ）は設定キースイッチのキー穴に挿入した設定キーを回転させた状態を示す斜視図である。図１５は、（Ａ）は設定キーを示す平面図、左側面図、右側面図、（Ｂ）は設定キースイッチを示す正面図、（Ｃ）は扉キーを示す平面図、左側面図、右側面図、（Ｄ）はシリンダ錠を示す正面図である。
【００６１】
図２及び図１４に示すように、設定キースイッチ３７は、電源ボックス３５１の前面３５１Ｆの上部に設けられている。電源ボックス３５１は、筐体１ａの内部に固設されている。尚、特に図示しないが、前面３５１Ｆにおける設定キースイッチ３７の下方には、設定スイッチ３８や電源スイッチ３９が設けられている。
【００６２】
電源ボックス３５１の前面３５１Ｆにおける左側辺には、前面３５１Ｆを被覆する被覆状態と前面３５１Ｆを開放する開放状態とに変位（回動）可能な被覆部３５２が設けられている。つまり、被覆部３５２は、電源ボックス３５１の左側辺を中心として回動可能に設けられている。
【００６３】
尚、特に図示しないが、被覆部３５２を被覆状態にして前面扉１ｂにより筐体１ａの前面を閉鎖することで、前面扉１ｂの所定部３５３が被覆部３５２の前面に当接または近接することで被覆状態を解除できない、つまり、前面扉１ｂを開放しない限り被覆部３５２の被覆状態を解除できないようになっている。また、前面扉１ｂを開放することで、被覆部３５２の被覆状態を解除できるようになる。
【００６４】
図１４及び図１５に示すように、設定キースイッチ３７は、前面３５１Ｆを構成する前壁に固定される外筒３２１（固定部）と、外筒３２１の内部において設定キー３０１の回転とともに回転する内筒３２２（回転部）と、の２重管構造になっている。
【００６５】
設定キー３０１は、キー穴３０２に挿入可能な挿入部３３０と、挿入部３３０がキー穴３０２に挿入されたときに設定キースイッチ３７の前面側に突出されて使用者が把手可能となる頭部３３１と、から構成され、左側面（第１面）及び右側面（第２面）を有する板状に形成されている。挿入部３３０には、外筒２２１及び内筒２２２の境界に設けられたドライバピン（図示略）を、外筒３２１に対し内筒３２２が回転可能となる位置まで移動させるためのキー山３３２Ｈ，３３２Ｕとキー溝３３３とが形成されている。
【００６６】
詳しくは、キー山３３２Ｈは挿入部３３０の上端面に形成され、キー山３３２Ｕは挿入部３３０の下端面に形成されており、これらキー山３３２Ｈ，３３２Ｕのパターンは異なっている。また、キー溝３３３は、挿入部３３０の右側面にのみ形成されている。
【００６７】
また、頭部３３１の左側面には、所定の装飾部３３５が設けられている一方で、頭部３３１の右側面には、装飾部が設けられていない。このように、左側面にのみ装飾部３３５が設けられていることで、装飾部３３５を有する面が設定キー３０１の左側面であることを特定可能となり、装飾部３３５を有しない面が設定キー３０１の右側面であることを特定可能となっている。
【００６８】
尚、装飾部３３５は、模様、絵柄、記号、文字等であってもよいし、遊技機に関する情報（例えば、製造メーカ名や、機種名、演出に登場するキャラクタなど）が表示された情報表示部であってもよい。
【００６９】
このように、挿入部３３０は、左右非対称形状とされているため、左側面を特定方向（左側）に向けたＹ１状態においては、キー穴３０２に挿入して回転操作したり、キー穴３０２から抜き出すことができる一方で、右側面を所定方向（左側）に向けたＹ２状態では、キー穴３０２に挿入することができないようになっている。
【００７０】
設定キー３０１は、キー穴３０２が縦方向を向く状態、つまり、内筒３２２と外筒３２１とが特定の位置関係の状態（内筒３２２が回転基準位置に位置している状態）で設定キー３０１の抜き差しが可能となり、内筒３２２と外筒３２１とが特定の位置関係以外の状態（内筒３２２が回転基準位置以外に位置している状態）では設定キー３０１の抜き差しが不能となるように構成されている。
【００７１】
また、図１５に示すように、設定キー３０１の挿入部３３０の板厚寸法である左右寸法Ｌ１は、扉キー２０１の挿入部２３０の板厚寸法である左右寸法Ｌ１１よりも小寸である（Ｌ１＜Ｌ１１）。また、設定キー３０１の挿入部３３０の上下寸法Ｌ２は、扉キー２０１の挿入部２３０の上下寸法Ｌ１２よりも小寸である（Ｌ２＜Ｌ１２）。
【００７２】
一方、設定キースイッチ３７のキー穴３０２の左右寸法Ｌ１Ａは、設定キー３０１の挿入部３３０の左右寸法Ｌ１よりも大寸であり（Ｌ１Ａ＞Ｌ１）、シリンダ錠２０３のキー穴２０２の左右寸法Ｌ１１Ａよりも小寸である（Ｌ１Ａ＜Ｌ１１Ａ）。また、設定キースイッチ３７のキー穴３０２の上下寸法Ｌ２Ａは、設定キー３０１の挿入部３３０の上下寸法Ｌ２よりも大寸であり（Ｌ２Ａ＞Ｌ２）、シリンダ錠２０３のキー穴２０２の上下寸法Ｌ１２Ａよりも小寸である（Ｌ２Ａ＜Ｌ１２Ａ）。このように、設定キースイッチ３７のキー穴３０２は、シリンダ錠２０３のキー穴２０２よりも小さく構成されている。
【００７３】
尚、キー穴２０２よりもキー穴３０２の方が小さいとは、キー穴３０２の開口部の面積がキー穴２０２の開口部の面積よりも小さいもの、キー穴３０２の開口部の対向する辺同士の距離（例えば、Ｌ１ＡやＬ２Ａ）がキー穴２０２の開口部の対向する辺同士の距離（例えば、Ｌ１１ＡやＬ１２Ａ）よりも短いもの、キー穴３０２に対して設定キー３０１が挿入される深さ（例えば、挿入部３３０の長手方向の長さ）がキー穴２０２に対して扉キー２０１が挿入される深さ（例えば、挿入部２３０の長手方向の長さ）よりも浅いものなどが該当する。
【００７４】
図１４（Ｂ）に示すように、前面扉１ｂを開放した状態で、被覆部３５２を開放状態とすることで、内筒３２２と外筒３２１とが特定の位置関係の状態、つまり、内筒３２２が回転基準位置に位置している状態であるときには、設定キー３０１をキー穴３０２に挿入可能である。そして、キー穴３０２に挿入した設定キー３０１を、図１４（Ｃ）に示すように、設定キー３０１が縦向きとなる基準位置から設定可能位置まで第１方向（正面視右方向）に第２角度（例えば、約９０度）回転させる回転操作（右回転操作）が可能となる。
【００７５】
よって、内筒３２２と外筒３２１とが特定の位置関係の状態であるときにキー穴３０２に挿入した設定キー３０１を、基準位置から設定可能位置まで第１方向（正面視右方向）に第２角度（例えば、約９０度）回転させる回転操作を行うことで、内筒３２２が回転基準位置から設定可能位置に対応する回転位置まで、第１方向（正面視右方向）に第２角度（例えば、約９０度）回転して、設定変更状態に移行させることが可能となり、前述のようにこの回転操作が行われた状態で電源スイッチ３９が操作されて電源が投入されることで設定変更状態に制御される。
【００７６】
また、設定キースイッチ３７の内筒３２２は、回転基準位置及び回転基準位置から第１方向（正面視右方向）に第２角度（例えば、約９０度）回転させた回転位置においてその状態が維持されるようになっているため、回転基準位置から回転位置まで回転させた後、設定キー３０１を離すことにより回転基準位置に向けて復帰したり、回転位置から回転基準位置まで回転させた後、設定キー３０１を離すことにより回転位置に向けて回転したりすることはない。
【００７７】
また、被覆部３５２を回転させる方向（例えば、電源ボックス３５１の左側辺を中心とする水平回転方向）と、回転操作を行うときに設定キー３０１を回転させる方向（例えば、前後方向を向く回転軸を中心とする縦回転方向）と、が異なることで、被覆部３５２が回転操作の邪魔となりにくい。
【００７８】
［作用効果１］
本実施例のスロットマシン１は、筐体１ａに対して開閉可能な前面扉１ｂを備え、解消するのに前面扉１ｂの開放を必要とする異常の発生によりエラー状態が発生した場合に、その旨が報知されるとともに、前面扉１ｂに設けられたキー穴２０２に扉キー２０１を挿入し、挿入した扉キー２０１を基準位置から第１位置まで第１方向（正面視右方向）に回転させる第１操作を行うことにより前面扉１ｂを開放させることが可能な状態となり、挿入した扉キー２０１を基準位置から第２位置まで第２方向（正面視左方向）に回転させる第２操作（リセット操作）を行うことによりエラー状態を解消し、これに伴う報知を終了させることが可能な構成において、前面扉１ｂが開放されているときは、第１位置まで回転させた扉キー２０１を左方向に向けて回転させる第２操作（リセット操作）が規制部材２０８により規制されることを特徴とする。このような構成によれば、前面扉１ｂが開放されているときにエラー状態に伴う報知を終了させる第２操作が規制されるので、解消するのに前面扉１ｂを開放することを要するエラーが生じた場合に、エラーを解消した後、前面扉１ｂが閉じた状態となることでエラー状態に伴う報知を終了させることが可能であり、前面扉１ｂが開いたままエラー状態に伴う報知だけが終了してしまうことを防止できる。
【００７９】
本実施例のスロットマシン１は、前面扉１ｂが閉鎖位置に位置している状態において、キー穴２０２に挿入した扉キー２０１を、第１位置まで回転させる第１操作を行うことで、扉キー２０１をキー穴２０２から抜けない状態となるので、シリンダ錠２０３の前方に突出した扉キー２０１の頭部２３１を、前面扉１ｂを開放する把手として利用可能となることを特徴とする。このような構成によれば、専用の把手を設けることなく、容易に前面扉１ｂを開放することができる。
【００８０】
本実施例のスロットマシン１は、前面扉１ｂには、扉キー２０１の回転とともに回転する内筒２２２と、内筒２２２の周囲において固定された外筒２２１と、が設けられ、内筒２２２が回転基準位置に位置している状態で扉キー２０１の抜き差しが可能であり、内筒２２２が回転基準位置に位置していない状態では扉キー２０１の抜き差しが不能となり、キー穴２０２に挿入した扉キー２０１を回転基準位置から第１位置まで回転させる第１操作を行うことで、内筒２２２が回転基準位置から第１位置に対応する第１回転位置まで、第１方向（正面視右方向）に第１角度（例えば、約４５度）回転し、キー穴２０２に挿入した扉キー２０１を、回転基準位置から第２位置まで回転させる第２操作（リセット操作）を行うことで、内筒２２２が回転基準位置から第２位置に対応する第２回転位置まで、第２方向（正面視左方向）に第１角度（例えば、約４５度）回転するとともに、内筒２２２と外筒２２１にはそれぞれ内筒２２２が回転基準位置に位置する状態であることが特定される印（例えば、印２３５，２３６）が設けられていることを特徴とする。このような構成によれば、内筒２２２と外筒２２１にそれぞれ設けられた印によって、第１操作がされた状態であるか、第２操作がされた状態であるか、を特定することができる。
【００８１】
本実施例のスロットマシン１は、キー穴２０２に挿入した扉キー２０１を第１位置まで回転させたまま、前面扉１ｂを閉鎖位置から開放位置に向けて回動して開放すると、係止部２０４Ｂが規制部２０８Ｂに当接することでカム２０４の左方向への回転が規制され、内筒２２２が回転基準位置から右方向に回転した第１回転位置に維持されることを特徴とする。このような構成によれば、前面扉１ｂが開放している場合に、挿入した扉キー２０１が第１位置の状態のまま内筒２２２が固定されるので、内筒２２２と外筒２２１の位置関係から前面扉１ｂが開放していることを認識させることができる。
【００８２】
本実施例のスロットマシン１は、第２操作（リセット操作）を検出するリセットスイッチ２３が、外部から接触困難となるように、被覆部材２１０により被覆されていることを特徴とする。このような構成によれば、第２操作を検出するリセットスイッチ２３が接触困難となるように被覆部材２１０により被覆されているため、前面扉１ｂを開放させた状態のまま扉キー２０１を用いずにエラー状態による報知を終了させることを防止できる。尚、本実施例における被覆部材２１０は、前面扉１ｂが開放しているか否かに関わらず、リセットスイッチ２３を被覆する構成であるが、少なくとも、前面扉１ｂが開放している状態、または前面扉１ｂが開放していない状態のいずれか一方の状態においてリセットスイッチ２３が被覆される構成であればよい。
【００８３】
本実施例のスロットマシン１は、第２操作に連動して動作する第２作動部材２０５Ｂを備え、キー穴２０２に挿入した扉キー２０１を、回転基準位置から第２方向（正面視左方向）に第１角度（例えば、約４５度）回転させる第２位置まで回転させる第２操作を行うことにより、カム２０４が回転基準位置から左方向に回転し、下方の係止部２０４Ｂにより被係止部２１６Ｂが上方に押圧されて第２作動部材２０５Ｂが回転基準位置から上方位置へ移動することで、被検出部２１７がリセットスイッチ２３により検出されるとともに、第２作動部材２０５Ｂ、係止部２０６Ｂ及びリセットスイッチ２３が、外部から接触困難となるように、被覆部材２１０により被覆されていることを特徴とする。このような構成によれば、リセットスイッチ２３だけでなく第２作動部材２０５Ｂも接触困難となるように被覆されることで、前面扉１ｂを開放させた状態のまま扉キー２０１を用いずにエラー状態による報知を終了させることを確実に防止できる。
【００８４】
本実施例のスロットマシン１は、被覆部材２１０が金属製であることを特徴とする。このような構成によれば、被覆部材２１０に穴を開けたり変形させたりすることで、リセットスイッチ２３に接触することが困難となる。
【００８５】
［変形例］
本実施例では、図１２に示すように、前面扉１ｂが閉鎖位置に位置している状態において、内筒２２２と外筒２２１とが特定の位置関係の状態であるときにキー穴２０２に挿入した扉キー２０１を、第１操作により第１位置まで回転させたまま、前面扉１ｂを閉鎖位置から開放位置に向けて回動して開放すると、係止部２０４Ｂが規制部２０８Ｂに当接することでカム２０４の左方向への回転が規制され、内筒２２２が回転基準位置から右方向に回転した第１回転位置にて、左方向への回転が規制される形態を例示したが、本発明はこれに限定されるものではなく、例えば、図１６に示す変形例のように、前面扉１ｂが開放している状態において、内筒２２２と外筒２２１とが特定の位置関係の状態から第２回転位置への回転が規制されるようにしてもよい。
【００８６】
具体的には、図１６（Ａ）に示すように、キー穴２０２に挿入した扉キー２０１を、第１操作により第１位置まで回転させたまま、前面扉１ｂを閉鎖位置から開放位置に向けて回動して開放したときに、図１６（Ｂ）に示すように、規制部材１２０８が規制解除位置から規制位置まで後方に移動するが、内筒２２２が第１回転位置から回転基準位置まで回転したときにカム２０４の係止部２０４Ａが規制部１２０８Ｂに当接することで、内筒２２２の回転基準位置から左方向に回転した第２回転位置への回転が規制されるようになっている。
【００８７】
このように、前面扉１ｂが開放している状態において、扉キー２０１の第１操作により第１回転位置まで回転した内筒２２２は、リセットスイッチ２３にて被検出部２１７が検出される第２回転位置に回転することが規制されるようになっていれば、前記実施例のように、前面扉１ｂが開放している状態において第１回転位置にて左方向への回転（扉キー２０１の第２操作）が規制されてもよいし、前面扉１ｂが開放している状態において回転基準位置にて左方向への回転（扉キー２０１の第２操作）が規制されてもよく、いずれの場合においても、扉体が開放している場合に、その旨を認識させることができる。
【００８８】
［作用効果２］
本実施例のスロットマシン１は、筐体１ａに対して開閉可能な前面扉１ｂを備え、前面扉１ｂに設けられたキー穴２０２に扉キー２０１を挿入し、挿入した扉キー２０１を基準位置から第１位置まで第１方向（正面視右方向）に回転させる第１操作を行うことにより前面扉１ｂを開放させることが可能な状態となり、挿入した扉キー２０１を基準位置から第２位置まで第２方向（正面視左方向）に回転させる第２操作（リセット操作）を行うことにより前面扉１ｂに設けられた液晶表示器５１に管理画面を表示させることが可能な構成において、前面扉１ｂが開放されているときに第２操作（リセット操作）が規制される（例えば、前面扉１ｂが開放されているときは、第１位置まで回転させた扉キー２０１を左方向に向けて回転させる第２操作（リセット操作）が規制部材２０８により規制される）ことを特徴とする。このような構成によれば、エラー発生時等において前面扉１ｂを開放した状態では、扉キー２０１が挿入されたままの状態となる。一方、前面扉１ｂを開放すると、液晶表示器５１が隣接する遊技機で遊技を行っている遊技者側を向くこととなる一方、作業をしている遊技場の店員からは液晶表示器５１が死角となり、店員の知り得ない状況で管理画面が盗み見される虞がある。これに対して、前面扉１ｂが開放されているときに前面扉１ｂに設けられた液晶表示器５１に管理画面を表示させる第２操作が規制されるので、前面扉１ｂが開放している状態で遊技店の店員の死角となる液晶表示器５１に管理画面が表示されてしまうことを防止できる。
【００８９】
本実施例のスロットマシン１は、液晶表示器５１に管理画面が表示されている状態で前面扉１ｂが開放した場合には、管理画面の表示を終了させることを特徴とする。このような構成によれば、当初は前面扉１ｂが開放されておらず、液晶表示器５１に管理画面が表示されている状態であっても、前面扉１ｂが開放されて途中から店員の死角となる状況となった場合に液晶表示器５１に管理画面が表示されてしまうことを防止できる。
【００９０】
本実施例のスロットマシン１は、液晶表示器５１に管理画面が表示されている状態で前面扉１ｂが開放した場合には、管理画面の表示を終了させることを特徴とする。このような構成によれば、当初は前面扉１ｂが開放されておらず、液晶表示器５１に管理画面が表示されている状態であっても、前面扉１ｂが開放されて途中から店員の死角となる状況となった場合に液晶表示器５１に管理画面が表示されてしまうことを防止できる。
【００９１】
［作用効果３］
本実施例のスロットマシン１は、筐体１ａに対して開閉可能な前面扉１ｂを備え、前面扉１ｂに設けられたキー穴２０２に挿入した扉キー２０１を、扉キー２０１が縦向きとなる基準位置から第１位置まで第１方向（正面視右方向）に回転させる第１操作（右回転操作）が可能であり、前面扉１ｂを開放した状態で、キー穴３０２に挿入した設定キー３０１を、設定キー３０１が縦向きとなる基準位置から設定可能位置まで第１方向（正面視右方向）に回転させる回転操作（右回転操作）を行うことで、遊技者の有利度を設定可能な設定変更状態に移行させることが可能であり、扉キー２０１及び設定キー３０１は、左側面（第１面）及び右側面（第２面）を有する板状に形成され、扉キー２０１は、左側面を所定方向（左側）に向けたＸ１状態でも、右側面を所定方向（左側）に向けたＸ２状態でも、キー穴２０２に挿入して回転操作したり、キー穴２０２から抜き出すことが可能であるが、設定キー３０１は、左側面を特定方向（左側）に向けたＹ１状態においては、キー穴３０２に挿入して回転操作したり、キー穴３０２から抜き出すことができる一方で、右側面を所定方向（左側）に向けたＹ２状態では、キー穴３０２に挿入することができないことを特徴とする。このような構成によれば、比較的操作される頻度の高い前面扉１ｂを開放させるための第１操作は、設定変更状態に移行させる場合だけでなく、通常のメンテナンス作業でも頻繁に行われる操作である。このため、扉キー２０１の左側面（第１面）及び右側面（第２面）のどちらの面が所定方向（左側）を向いた状態でも行うことが可能であり、作業者の利便性を高めることができる。一方で、遊技者の有利度に直接影響する設定変更状態へ移行させるための回転操作を前面扉１ｂを開放する第１操作と同様の基準で許容すると、不正なキーを用いて設定値が変更されてしまう虞がある。このため、回転操作は、設定キー３０１の左側面（第１面）が所定方向（左側）を向いた状態でのみ行うことを可能とすることで、不正な操作によって設定変更状態に移行させることを困難とすることができる。
【００９２】
本実施例のスロットマシン１は、扉キー２０１も設定キー３０１も縦向きに挿入して操作を行うこと、すなわち扉キー２０１も設定キー３０１も一方の側面を所定方向（左側）に向けて挿入して操作を行うことを特徴とする。このような構成によれば、扉キー２０１をキー穴２０２に挿入するときも、設定キー３０１をキー穴３０２に挿入するときも、一方の側面を操作する方向に向けて挿入すればよいので、キーの挿入操作が容易となる。
【００９３】
本実施例のスロットマシン１は、設定キースイッチ３７のキー穴３０２は、シリンダ錠２０３のキー穴２０２よりも小さく構成されていることを特徴とする。このような構成によれば、比較的操作される頻度の高い前面扉１ｂを開放させるための第１操作をするための扉キー２０１は大きいキー穴２０２に挿入すればよいので、作業者の利便性を高めることができる一方で、遊技者の有利度に直接影響する設定変更状態へ移行させるための回転操作をするための設定キー３０１は小さいキー穴３０２に挿入する必要があるので、不正な操作によって設定変更状態に移行させることを困難とすることができる。
【００９４】
本実施例のスロットマシン１は、筐体１ａに対して前面扉１ｂが左側端部を軸に右側端部を開放させるとともに、キー穴２０２は前面扉１ｂの右側に設けられ、扉キー２０１をキー穴２０２に挿入して右方向に回転する第１操作で扉を開放することが可能となることを特徴とする。このような構成によれば、扉キー２０１を右方向に回転した状態で扉キー２０１を手前に引くことで前面扉１ｂを開放する際に、軸から最も離れた部分を引いて前面扉１ｂを開放させるため、少ない力で前面扉１ｂを開放させることができる。
【００９５】
本実施例のスロットマシン１は、筐体１ａに対して前面扉１ｂが左側端部を軸に右側端部を開放させるとともに、キー穴３０２は、筐体１ａ内の左側に配置された電源ボックス３５１の前面３５１Ｆに設けられており、設定キー３０１をキー穴３０２に挿入して右方向に回転する回転操作で設定変更状態に移行させることが可能となることを特徴とする。このような構成によれば、前面扉１ｂを開放した際に、キー穴３０２の左側よりも広い空間となる右側の方向に向けて回転操作を行えばよいので、回転操作を無理なく行うことができる。
【００９６】
本実施例のスロットマシン１は、扉キー２０１により前面扉１ｂを開放させるための第１操作も、設定キー３０１により設定変更状態へ移行させるための回転操作も、同一方向（右方向）に回転させる操作であることを特徴とする。このような構成によれば、扉キー２０１により前面扉１ｂを開放させるための第１操作も、設定キー３０１により設定変更状態へ移行させるための回転操作も、同一方向（右方向）に回転させる操作であるため、キーを用いた操作が容易となる。
【００９７】
本実施例のスロットマシン１は、設定キー３０１に第１面（左側面）及び第２面（右側面）を特定可能な装飾が施された装飾部３３５が設けられることを特徴とする。このような構成によれば、設定キー３０１の左側面を特定方向（左側）に向けた状態でのみ行うことが可能な回転操作を行う際に、設定キー３０１の装飾部３３５に施された装飾から設定キー３０１の向きを特定することができる。
【００９８】
［作用効果４］
本実施例のスロットマシン１は、筐体１ａに対して開閉可能な前面扉１ｂを備え、前面扉１ｂに設けられたキー穴２０２に挿入した扉キー２０１を、扉キー２０１が縦向きとなる基準位置から第１位置まで第１方向（正面視右方向）に回転させる第１操作（右回転操作）が可能であり、前面扉１ｂを開放した状態で、キー穴３０２に挿入した設定キー３０１を、設定キー３０１が縦向きとなる基準位置から設定可能位置まで第１方向（正面視右方向）に回転させる回転操作（右回転操作）を行うことで、遊技者の有利度を設定可能な設定変更状態に移行させることが可能であり、第１操作に伴い扉キー２０１を基準位置から第１位置まで回転させる第１角度（約４５度）よりも回転操作に伴い設定キー３０１を基準位置から設定可能位置まで回転させる第２角度（約９０度）の方が大きいことを特徴とする。このような構成によれば、比較的操作される頻度の高い前面扉１ｂを開放させるための第１操作は、扉キー２０１を小さい角度の回転で行うことが可能であり、作業者の利便性を高めることができる一方で、遊技者の有利度に直接影響する設定変更状態へ移行させるための回転操作は、設定キー３０１を大きい角度の回転で行う必要があり、不正な操作によって設定変更状態に移行させることを困難とすることができる。
【００９９】
本実施例のスロットマシン１は、前面扉１ｂが閉鎖位置に位置している状態において、キー穴２０２に挿入した扉キー２０１を、第１位置まで回転させる第１操作を行うことで、扉キー２０１をキー穴２０２から抜けない状態となるので、シリンダ錠２０３の前方に突出した扉キー２０１の頭部２３１を、前面扉１ｂを開放する把手として利用可能となるとともに、第１操作に伴い扉キー２０１を基準位置から第１位置まで回転させる第１角度が鋭角（約４５度）であることを特徴とする。このような構成によれば、専用の把手を設けることなく、容易に前面扉１ｂを開放することができるとともに、前面扉１ｂを開放させるにあたり、大きく手首をひねることなく手前に引くことで前面扉１ｂを開放させることができる。
【０１００】
本実施例のスロットマシン１は、キー穴３０２に挿入した設定キー３０１を、基準位置から設定可能位置まで第１方向（正面視右方向）に第２角度（約９０度）回転させる回転操作を行った状態で電源スイッチ３９が操作されて電源が投入されることで設定変更状態に移行することを特徴とする。このような構成によれば、設定キー３０１の角度から設定変更状態に制御されているか否かを特定することができる。
【０１０１】
本実施例のスロットマシン１は、回転操作に伴い設定キー３０１を基準位置から設定可能位置まで回転させる第２角度が９０度であることを特徴とする。このような構成によれば、設定キー３０１の角度が直角に変化した状態であるか否かによって設定変更状態に制御されているか否かを容易に特定することができる。
【０１０２】
本実施例のスロットマシン１は、キー穴３０２を被覆する被覆部３５２を備え、前面扉１ｂを開放した状態で、さらに被覆部３５２を開放状態とし、キー穴３０２に挿入した設定キー３０１を設定キー３０１が縦向きとなる基準位置から設定可能位置まで第１方向（正面視右方向）に回転させる回転操作が可能となるとともに、被覆部３５２を変位させる方向（電源ボックス３５１の左側辺を中心とする水平回転方向）と、回転操作を行うときに設定キーを回転させる方向（前後方向を向く回転軸を中心とする縦回転方向）と、が異なることを特徴とする。このような構成によれば、被覆部３５２を変位させる方向と、回転操作を行うときに設定キー３０１を回転させる方向と、が異なるため、被覆部３５２が回転操作の邪魔となりにくい。
【０１０３】
以上、本発明の実施例を図面により説明してきたが、本発明はこの実施例に限定されるものではなく、本発明の主旨を逸脱しない範囲における変更や追加があっても本発明に含まれることは言うまでもない。
【０１０４】
前記実施例では、遊技が可能な遊技機の一例としてスロットマシン１を適用した形態を例示したが、本発明はこれに限定されるものではなく、少なくとも枠体と、枠体に対して開閉可能な扉体と、を備える遊技機であれば適用可能である。また、枠体とは、底が塞がれないフレームのみの構造でも良いし、有底の箱状の構造でも良い。また、枠体は、内部に遊技機を構成する部品が設置されるものでも良いし、内部に部品が設置されず、単に遊技島等の設備に取り付けるためたけのものでも良い。例えば、パチンコ遊技機等も適用可能であり、この場合、パチンコ遊技機は、遊技場に固設される遊技島に固定可能な外枠と、外枠に対し開閉可能に設けられる遊技機用枠と、遊技機用枠の前面を開閉可能なガラス扉枠と、から構成される場合、枠体は外枠、枠体に対して開閉可能な扉体は遊技機用枠やガラス扉枠であればよい。あるいは、枠体は外枠や遊技機用枠、枠体に対して開閉可能な扉体はガラス扉枠であってもよい。
【０１０５】
また、前記実施例では、扉キー２０１を第１位置に回転させる第１操作を正面視右回転、第２位置に回転させる第２操作を正面視左回転とした形態を例示したが、本発明はこれに限定されるものではなく、第１操作が左回転、第２操作が右回転であってもよい。
【０１０６】
さらに、前記実施例では、扉キー２０１の第１操作は右回転、第２操作は第１操作と反対の左回転とした形態を例示したが、本発明はこれに限定されるものではなく、第１操作と第２操作とが同一方向（例えば、右方向、左方向）への回転操作であってもよい。つまり、第１位置は、扉キー２０１を挿入可能な基準位置から一の方向に回転させた位置とし、第２位置は、扉キー２０１を第１位置からさらに一の方向に回転させた位置であってもよい。
【０１０７】
また、前記実施例では、扉キー２０１の基準位置から第１位置または第２位置への第１角度は約４５度とされ、設定キー３０１の基準位置から設定可能位置までの第２角度は約９０度とした形態を例示したが、本発明はこれに限定されるものではなく、第１角度や第２角度は任意の角度に変更可能である。
【０１０８】
また、前記実施例及び変形例では、前面扉１ｂが開放されているときに、扉キー２０１の第１位置から第２位置への第２操作（正面視左回転操作）が、規制部材２０８，１２０８が内筒２２２に固着されたカム２０４に当接することにより規制される形態を例示したが、本発明はこれに限定されるものではなく、規制部材が、第１作動部材２０５Ａや内筒２２２など他の部材に当接することにより第２操作が規制されてもよい。また、規制部材は、前面扉１ｂの開放が検知されたことに基づいて所定の駆動源にて規制位置まで移動するようにしてもよい。
【０１０９】
また、前記実施例では、シリンダ錠２０３の内部機構により、第１操作によりキー穴２０２に挿入した扉キー２０１が第１位置に位置する場合に扉キー２０１が抜けない状態となる形態を例示したが、本発明はこれに限定されるものではなく、キー穴２０２に挿入した扉キー２０１を第１位置や第２位置へ回転操作してもキー穴２０２から抜き出し可能とされていてもよい。
【０１１０】
また、前記実施例では、内筒２２２（回転部）と外筒２２１（固定部）にはそれぞれ特定の位置関係であることが特定される印２３５，２３６が設けられ、特定の位置関係において印２３５，２３６が上下に並ぶ形態を例示したが、本発明はこれに限定されるものではなく、特定の位置関係において印２３５，２３６が上下に並ばない状態となってもよい。あるいは、特定の位置関係において所定のマーク、模様、絵柄、装飾部等が構成されるようになっていてもよい。さらに、内筒２２２と外筒２２１とが特定の位置関係の状態となったことに基づいて所定の発光部（例えば、ＬＥＤなど）が発光するようにしてもよい。
【０１１１】
また、前記実施例では、被覆部材２１０は、第１作動部材２０５Ａ、第２作動部材２０５Ｂ、係止部２０６Ａ，２０６Ｂ、シリンダ錠２０３の後部、カム２０４、規制部材２０８の一部及びリセットスイッチ２３が外部から接触困難となるように被覆する形態を例示したが、本発明はこれに限定されるものではなく、少なくとも第２操作を検出する検出手段であるリセットスイッチ２３が接触困難となるように被覆部により被覆されるようになっていれば、第１作動部材２０５Ａ、第２作動部材２０５Ｂ、係止部２０６Ａ，２０６Ｂ、シリンダ錠２０３の後部、カム２０４、規制部材２０８等は被覆されていなくてもよい。また、被覆部材２１０は金属材以外の素材（例えば、合成樹脂材など）にて構成されていてもよい。
【０１１２】
また、前記実施例では、扉キー２０１については、左側面を所定方向（左側）に向けたＸ１状態でも、右側面を所定方向（左側）に向けたＸ２状態でも、キー穴２０２に挿入して回転操作したり、キー穴２０２から抜き出すことができるのに対し、設定キー３０１は、左側面を特定方向（左側）に向けたＹ１状態においては、キー穴３０２に挿入して回転操作したり、キー穴３０２から抜き出すことができる一方で、右側面を所定方向（左側）に向けたＹ２状態では、キー穴３０２に挿入することができない形態を例示したが、本発明はこれに限定されるものではなく、設定キー３０１について、Ｙ１状態でもＹ２状態でもキー穴３０２に挿入することができるようにしてもよいし、扉キー２０１について、Ｘ１状態ではキー穴２０２に挿入できるが、Ｘ２状態ではキー穴２０２に挿入できなくなるようにしてもよい。
【０１１３】
また、前記実施例では、扉キー２０１については、第１面である左側面を所定方向（左側）に向けたＸ１状態でキー穴２０２に挿入可能であり、設定キー３０１についても、第１面である左側面を特定方向（左側）に向けたＹ１状態でキー穴３０２に挿入可能な形態を例示したが、本発明はこれに限定されるものではなく、扉キー２０１と設定キー３０１のうち一方を第１面が所定方向を向く状態で挿入可能となり、他方を第１面が所定方向とは異なる特定方向を向く状態で挿入可能となるようにしてもよい。つまり、所定方向と特定方向とは異なる方向であってもよい。また、所定方向と特定方向とは左方向であったが、右方向、上方向、下方向など任意の方向でもよい。
【０１１４】
また、前記実施例では、第１鍵穴（キー穴２０２）よりも前記第２鍵穴（キー穴３０２）の方が小さい形態を例示したが、本発明はこれに限定されるものではなく、第１鍵穴と第２鍵穴とはほぼ同じ大きさでもよいし、第１鍵穴（キー穴２０２）よりも第２鍵穴（キー穴３０２）の方が大きくてもよい。
【０１１５】
また、前記実施例では、扉キー２０１の第１操作と設定キー３０１の第２操作とは、同一方向（正面視右方向）に回転させる操作である形態を例示したが、本発明はこれに限定されるものではなく、扉キー２０１の第１操作と設定キー３０１の第２操作とが各々異なる方向の回転操作であってもよい。
【符号の説明】
【０１１６】
１  スロットマシン
１ａ  筐体
１ｂ  前面扉
２３  リセットスイッチ
３７  設定キースイッチ
４１  遊技制御部
５１  液晶表示器
２０１  扉キー
２０２  キー穴
２０３  シリンダ錠
２０８  規制部材
２１０  被覆部材
３０１  設定キー
３０２  キー穴
【図１】
2019201857.tif 000003
【図２】
2019201857.tif 000004
【図３】
2019201857.tif 000005
【図４】
2019201857.tif 000006
【図５】
2019201857.tif 000007
【図６】
2019201857.tif 000008
【図７】
2019201857.tif 000009
【図８】
2019201857.tif 000010
【図９】
2019201857.tif 000011
【図１０】
2019201857.tif 000012
【図１１】
2019201857.tif 000013
【図１２】
2019201857.tif 000014
【図１３】
2019201857.tif 000015
【図１４】
2019201857.tif 000016
【図１５】
2019201857.tif 000017
【図１６】
2019201857.tif 000018